(57)【要約】      （修正有）【課題】サスペンションの等価質量を低減するとともに、さらなる磁気ヘッド・スライダの軽量化を図ることによって、低浮上量乃至接触型の磁気ヘッド・スライダおよび磁気記録装置を提供する。【解決手段】ヘッド・スライダ３とサスペンションとの間に案内スライダ１を導入し、案内スライダ１とヘッド・スライダ３とを板ばねのような剛性の低い締結体２を用いて締結し、サスペンションの慣性作用が案内スライダ１に受け止められ、ヘッド・スライダ３に直接影響しない構造を採用する。案内スライダ１とディスク表面との間には空気動圧軸受が形成され、ヘッド・スライダ３、案内スライダ１およびサスペンションから構成されるシステムの一つの支持部となり、案内スライダ１はヘッド・スライダ３に及ぼすサスペンション慣性作用の影響を最小限に抑えると共に、ヘッド・スライダ３を情報記録媒体表面上に案内する役割も果たす。【選択図】図１
2004192773.tif 000002
【特許請求の範囲】
【請求項１】
回転する情報記録媒体表面を、空気動圧軸受を形成させ安定した浮上量で走行する案内スライダと、前記媒体表面上に情報の記録再生を行う磁気ヘッドを装着したヘッド・スライダとの二つのスライダから構成され、前記ヘッド・スライダが前記案内スライダに対する傾斜運動、又は上下並進運動、又は傾斜運動と上下並進運動との複合運動によって前記媒体表面の垂直方向に変位ができる縦剛性の低い継手を介して前記案内スライダに締結されることを特徴とする磁気ヘッド・スライダ。
【請求項２】
前記媒体表面上に固定する点が前記案内スライダと前記媒体表面との間に挟まれた区域に進入する場所に位置する前記案内スライダの部分を前記案内スライドの前部とし、前記固定点が前記区域から退出する場所に位置する前記案内スライダの部分を前記案内スライダの後部とし、前記案内スライダ後部から前記案内スライダ前部に向かう方向を前とし、前記前と反対方向を後ろとすると、前記ヘッド・スライダが前記案内スライダの後方に位置することを特徴とする請求項１に記載の磁気ヘッド・スライダ。
【請求項３】
前記ヘッド・スライダが前記媒体表面と直接接触した状態で、前記媒体表面上を走行し情報の記録再生を行うことを特徴とする請求項１、又は請求項２何れに記載の磁気ヘッド・スライダ
【請求項４】
前記ヘッド・スライダが空気動圧効果を利用して対向する前記媒体表面上を安定した浮上量で走行し、情報の記録再生を行うことを特徴とする請求項１、又は請求項２何れに記載の磁気ヘッド・スライダ。
【請求項５】
前記ヘッド・スライダの質量をＭＨ、前記案内スライダの質量をＭｓとすると、ＭＨ＜Ｍｓの関係が成り立つ請求項１乃至請求項４何れかに記載の磁気ヘッド・スライダ。
【請求項６】
前記ヘッド・スライダの質量をＭＨ、前記案内スライダの質量をＭＡとすると、ＭＨ＜ＭＡ／１０の関係が成立することを特徴とする請求項１乃至請求項４何れかに記載の磁気ヘッド・スライダ
【請求項７】
請求項１乃至請求項６何れかに記載の磁気ヘッド・スライダを装着した磁気記録装置。
【発明の詳細な説明】
【０００１】
【発明の属する技術分野】
本発明は、磁気ヘッド・スライダに関し、特に磁気記録密度を向上させるために必要不可欠な磁気ヘッド浮上量の低減が実現できる磁気ヘッド・スライダの構造に関する。
【従来の技術】
【０００２】
従来、磁気ヘッド・スライダの小型化・軽量化を図ることによって、磁気ヘッドの浮上量を低減させることができた。
【０００３】
【発明が解決しようとする課題】
磁気ヘッド・スライダとそれを支えるサスペンションとが動力学的に一体化しており、現在主流のピコ・スライダの質量が１ｍｇであるのに対して、サスペンションなどの等価質量が約９ｍｇでスライダ質量の９倍近く大きいため、磁気ヘッド・スライダの軽量化だけでは、もはや浮上量の低減に対する効果が期待できない。スライダを軽量化する前に、サスペンションの等価質量を減少させる必要がある。
【０００４】
本発明は、サスペンションの等価質量を低減させるとともに、さらなる磁気ヘッド・スライダの軽量化を図ることによって、低浮上量乃至接触型の磁気ヘッド・スライダおよびこのような磁気ヘッド・スライダを装着した磁気記録装置を提供することを目的とする。
【０００５】
【課題を解決するための手段】
磁気ヘッド・スライダ・サスペンションの等価質量を低減させるため、サスペンション自身の質量を減らすのではなく、磁気ヘッド・スライダとサスペンションとの間に案内スライダを導入し、案内スライダと磁気ヘッド・スライダ（以後、ヘッド・スライダと記する）との間には、板ばねのような剛性の低い締結体を介在して締結され、サスペンションの慣性作用が案内スライダによって受け止められ、ヘッド・スライダに直接影響しない又は影響の少ない構造を考案する。
【０００６】
案内スライダは、回転する情報記録媒体表面との間に空気動圧軸受が形成され、ヘッド・スライダ、案内スライダおよびサスペンションから構成されるシステムの一つの支持となり、サスペンションの慣性作用を受け止め、ヘッド・スライダに及ぼすサスペンション慣性の影響を最小限に抑える。同時に、案内スライダはヘッド・スライダを情報記録媒体表面上に案内する役割も果たす。
【０００７】
前記締結体は、情報記録媒体表面に垂直する方向のヘッド・スライダの傾斜、上下運動に対しては低い剛性を有するが、情報記録媒体表面に平行する方向のヘッド・スライダの横運動に対しては高い剛性を有する。その結果、磁気ヘッドの位置決め精度が保証される。
【０００８】
ヘッド・スライダは前記締結体によって、案内スライダおよびサスペンションから独立し、影響を受けにくくなる。サスペンションの慣性作用は主に案内スライダに作用し、ヘッド・スライダに及ぼす影響、つまりサスペンションの等価質量が大幅に低減されることになる。ヘッド・スライダの慣性作用が小さくなることは、ヘッド・スライダの対振動衝撃性が向上することを意味する。その結果、従来必要とする大きな予圧負荷が必要となくなり、小さな予圧負荷で済むことになる。
【０００９】
ヘッド・スライダが案内スライダの走行安定性に悪影響を及ぼさないようにするためには、ヘッド・スライダの質量を案内スライダの質量の１０分の１以下に小さくすることが望ましい。例えば、案内スライダにナノ・スライダ、ヘッド・スライダにフェムトスライダを使用する。ナノ・スライダの質量は約５．０ｍｇで、フェムトスライダの質量は約０．４ｍｇである。
【０００１０】
ヘッド・スライダに掛かる予圧荷重が大幅に低減されるため、ヘッド・スライダがディスク表面に直接接触しても、磨耗を極小に抑えることができる。その結果、接触型磁気ヘッド・スライダも容易に実現できる。
【０００１１】
前記接触型ヘッド・スライダは、浮上型スライダのように空気軸受に要求される複雑な形状は必要としない。ただし、情報記録媒体表面と接触するヘッド・スライダ表面部分は、表面力およびメニスカスカの影響を抑えるために凸面に作ることが望ましい。
【０００１２】
【発明の実施の形態】
発明の実施の形態を実施例に基づき説明する。
図１において、ヘッド・スライダ１は締結体２を介して案内スライダ３の後方に取り付けられる。案内スライダはサスペンション（図に示さず）に固定され、従来の磁気ヘッド・スライダと同じ構造をとる。締結体には板ばねを使用する。
【０００１３】
前記締結体はヘッド・スライダ１および案内スライダ３の走行安定性、製造上の便利性を考え、ヘッド・スライダおよび案内スライダの構造に応じてヘッド・スライダの上面に（図２）、中部に（図３）又は下面（図４）にとり付けることができる。
【０００１４】
前記ヘッド・スライダには、接触型と浮上型との２種類を使用することができる。
【０００１５】
前記接触型のヘッド・スライダには、表面吸引力およびメニスカスカの影響を抑えるために、図５に示すような情報記録媒体表面と向い合う下面４を凸面に作ることが望ましい。
【０００１６】
前記浮上型の磁気ヘッド・スライダにはフェムト・スライダを使用することが望ましい。また、必要に応じて、アット・スライダを使用することも考えられる。アット・スライダはフェムト・スライダのサイズを半減したものである。
【００１７】
【発明の効果】
本発明は、以上説明したように構成されているので、以下に記載されるような効果を奏する。
【００１８】
磁気ヘッド・スライダとサスペンションと間に案内スライダを設置することによって、従来磁気ヘッド・スライダが単独で担う磁気ヘッドの安定浮上とサスペンションからの振動衝撃吸収との二つの役割をそれぞれ磁気ヘッド・スライダと案内スライダに分担させることによって、案内スライダには対振動衝撃性を重視する設計を、磁気ヘッド・スライダには記録密度の向上を重視する設計を採用することが可能となり、記録密度や対振動衝撃性を飛躍的に向上させることが期待できる。
図の説明
【図面の簡単な説明】
【図１】本発明の第１実施形態に係わる磁気ヘッド・スライダの立体図である。
【図２】締結体がヘッド・スライダの上面に固着する場合の磁気ヘッド・スライダの横図である。
【図３】締結体がヘッド・スライダの中部に固着する場合の磁気ヘッド・スライダの横図である。
【図４】締結体がヘッド・スライダの下面に固着する場合の磁気ヘッド・スライダの横図である。
【図５】接触型ヘッド・スライダの外略図である。
【符号の説明】
１  案内スライダ
２  締結体
３  ヘッド・スライダ
４  ヘッド・スライダ下面
【図１】
2004192773.tif 000003
【図２】
2004192773.tif 000004
【図３】
2004192773.tif 000005
【図４】
2004192773.tif 000006
【図５】
2004192773.tif 000007